(57)【要約】【課題】空気調和機の室外機上に設けられた電装箱内のモジュールによりプリント基板の表面温度上昇を防ぐと共に、モジュールの放熱効率向上を図り、部品寿命を延命を図る。【解決手段】プリント基板１とそのプリント基板１から浮かして搭載するモジュール２の間に、固定スペーサ４を挟んで搭載し、前記固定スペーサ４に固定スペーサ凸部９を設け、放熱板３に設けた放熱板凹部１０と結合し、ビス９にて固定することで、モジュール放熱面と反対側面の熱を放熱板３に伝えることで、プリント基板の表面温度上昇を防ぐと共に、モジュールの放熱効率向上を図り、部品寿命を延命することができる。【選択図】図１
2010236750.tif 000002
【特許請求の範囲】
【請求項１】
プリント基板と、前記プリント基板上に搭載する電装部品（以下、モジュール）と、前記モジュールの発する熱を放熱するための金属製の放熱板と、これらを固定するビスと、板状で爪が設けてある形状で前記プリント基板と前記モジュールの間に挿入して前記爪で前記プリント基板と固定され、さらに前記モジュールを前記放熱板と挟み込み放熱させるために金属にて成形を施し、かつ固定スペーサ凸部を設け前記放熱板凹部と結合させる固定スペーサを用いたことを特徴とする空気調和機。
【発明の詳細な説明】
【技術分野】
【０００１】
本発明は、モジュールを搭載しているプリント基板において、モジュールの放熱を容易に実現するため固定スペーサを用いた空気調和機に関するものである。
【背景技術】
【０００２】
従来、この種の空気調和機は、プリント基板上にプリント基板から浮かして搭載するモジュ−ルを設置する時、プリント基板とモジュ−ルの間に、その双方を固定しさらにビスによって固定される部材（固定スペ−サ）を設けた構造となっている（例えば、特許文献１参照）。
【０００３】
図３は、特許文献１に記載された従来の空気調和機の室外機に取付けた固定スペ−サを示すものである。図３に示すように、プリント基板１００上に放熱板２００とモジュ−ル３００が実装され、前記プリント基板１００と前記モジュ−ル３００の間に挟んで固定スペ−サ４００を設け、さらに前記プリント基板１００、前記モジュ−ル３００、前記固定スペ−サ４００には、貫通穴、さらに前記放熱板２００にはビス穴があいておりビス５００にて固定されている。図３はそれぞれを固定した状態を示すものである。この際前記固定スペーサは、前記プリント基板１００と前期モジュール３００の間に挟まれ、高温になったままのものである。
【特許文献１】特開２００２−１１１２５０号公報
【発明の開示】
【発明が解決しようとする課題】
【０００４】
しかしながら、前記従来の構成では、プリント基板とモジュールの間に挟まれた樹脂製の固定スペーサでは温度を充分に放熱することができずモジュールの放熱を効率的にできなくかつプリント基板の表面温度を上昇させという課題を有していた。
【０００５】
本発明は、前記従来の課題を解決するもので、プリント基板とモジュールの間に挟まれ高温になったままでモジュールの放熱に寄与していなかったとともにプリント基板の表面温度を上昇させていたことを防止するとともに、モジュールの部品寿命を延ばすことを目的とする。
【課題を解決するための手段】
【０００６】
前記従来の課題を解決するために、本発明の空気調和機は、プリント基板上にプリント基板から浮かして搭載するモジュールを設置する時、プリント基板とモジュールの間に、その双方を固定しさらにビスによって固定される固定スペーサを金属材料にて形成し、かつ放熱板と連結する突起を設けるものである。
【０００７】
これによって、プリント基板とモジュールの間に挟まれ固定スペーサより放熱板へモジュールの熱を放熱することによりプリント基板の表面温度を上昇させていたことを防止するとともに、モジュール温度をさらに低下させ部品寿命を延ばすことが可能となる。
【発明の効果】
【０００８】
本発明の空気調和機は、プリント基板上にプリント基板から浮かして搭載するモジュールにおいて、プリント基板の表面温度を上昇させていたことを防止するとともに、モジュール温度をさらに低下させモジュールの部品寿命を延ばすことが実現できる。
【発明を実施するための最良の形態】
【０００９】
本発明の空気調和機は、プリント基板上にプリント基板から浮かして搭載するモジュールを設置する時、プリント基板とモジュールの間に、その双方を固定しさらにビスによって固定される固定スペーサを金属材料にて形成し、かつ放熱板と連結する突起を設けることで、プリント基板の表面温度を上昇させていたことを防止するとともに、モジュール温度をさらに低下させ部品寿命を延ばすことが実現できる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機のプリント基板構成の側面図である。
【００１２】
図１（ａ）において、１はプリント基板であり、２は前記プリント基板１の部品面側に実装されたモジュールであり、３は前記モジュール２の発する熱を放熱するための放熱板である。また、４は前記モジュール２と前記プリント基板１の間に挿入された板状の固定スペーサであり、５は前記固定スペーサ４と前記プリント基板１に引っ掛けるための固定スペーサ爪である。また、６はモジュールリード部である。また、７は前記固定スペーサ４の両端に２箇所設けられた貫通穴であり、前記固定スペーサ爪５にて仮固定することで、ビス８を上方より前記貫通穴７に容易に貫通させたものである。また、９は前記固定スペーサ４の両端２箇所に設けられた固定スペーサ凸部であり、前記放熱板３に設けられた放熱板凹部１０と結合するものである。また、１１は、コーティング材で前記プリント基板１のはんだ面側パターン及び部品リード等に塗布されている。
【００１３】
図１（ｂ）は、前記固定スペーサ４の上面図であり、図１（ｃ）は、前記固定スペーサ４の側面図である。
【００１４】
図２は、本発明に実施の形態１における空気調和機の室外機概略図である。１１は、室外機本体であり、１２は室外機天板、１３は室外ファン、１４は圧縮機である。前記室外機１１の中に、前記プリント基板１が搭載されている。
【００１５】
以上のように構成された前記固定スペーサによるモジュール温度をさらに低下させプリント基板の表面温度を上昇させていたことの防止について、以下その動作、作用を説明する。
【００１６】
図１において最初に、プリント基板１に設けられている穴に前記固定スペーサ爪５を挿入することにより、前記固定スペーサ４を仮固定し、その上に前記モジュール２を実装し、さらにその上に前記放熱板３を積み重ねる構造となる。さらに前記プリント基板１及び前記モジュール２には貫通穴があいており、前記放熱板３にはビス穴があいており、前記固定スペース４にも貫通穴７が設けられおり、前記ビス８にて貫通穴を通して、前記プリント基板１と前記放熱板３を固定する。また、前記固定スペーサ凸部９と前記放熱板凹部１０を結合させることで前記モジュール２を放熱板で鋏み込む構造とする。
【００１７】
次に、モジュールの熱の流れについて説明をすると、前記モジュール２に電流が流れることにより自己発熱し、部品温度が上昇する。前記モジュール２の放熱面に密着している前記放熱板３より主に熱を放熱する。さらに前記固定スペーサ４にて前記モジュール２の放熱面と反対側の面が密着しており、前記固定スペーサ４より熱伝導し、前記固定スペーサ凸部９を介して前記放熱板凹部１０より前記放熱板３へ前記モジュール２の裏面側の熱を伝えることでモジュール温度をさらに低下させプリント基板の表面温度を上昇させていたことを防止する構造となる。
【００１８】
以上のように、本実施の形態においては、プリント基板上にプリント基板から浮かして搭載するモジュールを設置する時、プリント基板とモジュールの間に、その双方を固定しさらにビスによって固定される固定スペーサを金属材料にて形成し、かつ放熱板と連結する突起を設けることで、プリント基板の表面温度を上昇させていたことを防止するとともに、モジュール温度をさらに低下させ部品寿命を延ばすことが実現できる。
【産業上の利用可能性】
【００１９】
以上のように、本発明の空気調和機は、プリント基板上にプリント基板から浮かして搭載するモジュールを設置する時、プリント基板とモジュールの間に、その双方を固定しさらにビスによって固定される固定スペーサを金属材料にて形成し、かつ放熱板と連結する突起を設けることで、プリント基板の表面温度を上昇させていたことを防止するとともに、モジュール温度をさらに低下させ部品寿命を延ばすことが実現することが可能となるので、空気調和機以外の電子機器においても、プリント基板の形状に関係なく、モジュールの温度をさらに低下させ部品寿命を延ばすことの用途にも適用できる。
【図面の簡単な説明】
【００２０】
【図１】（ａ）本発明の実施の形態１におけるプリント基板構成の側面図（ｂ）同、固定スペーサの上面図（ｃ）同、固定スペースの側面図
【図２】本発明の実施の形態１における空気調和機の室外機概略図
【図３】（ａ）従来におけるプリント基板構成の側面図（ｂ）同、固定スペーサの上面図
【符号の説明】
【００２１】
１  プリント基板
２  モジュール
３  放熱板
４  固定スペーサ
５  固定スペーサ爪
６  モジュールリード部
７  貫通穴
８  ビス
９  固定スペーサ凸部
１０  放熱板凸部
１１  コーティング材
【図１】
2010236750.tif 000003
【図２】
2010236750.tif 000004
【図３】
2010236750.tif 000005